(57)【要約】【課題】ローカル・エリア・ネットワーク（ＬＡＮ）・コネクタのサージ防止回路は、ローカル・エリア・ネットワーク（ＬＡＮ）コネクタに配置された複数の変圧器への結合に適している。【解決手段】サージ防止回路は、共役コイル・モジュール及びサージ吸収素子を含む。共役コイル・モジュールは、少なくとも１つの共役コイルを有する。共役コイルは、第１の入力端子、第２の入力端子、第１の出力端子、及び第２の出力端子を有する。共役コイルの第１の入力端子及び第２の入力端子はそれぞれ、それぞれの変換器のセンター・タップ端子に結合される。サージ吸収素子の第１の端子は接地に接続され、第２の端子は、第１の出力端子及び第２の出力端子に結合される。【選択図】図３
2010142107.tif 000002
【特許請求の範囲】
【請求項１】
ローカル・エリア・ネットワーク（ＬＡＮ）・コネクタに配置された複数の変圧器への結合に適したローカル・エリア・ネットワーク・コネクタのサージ防止回路であって、
少なくとも１つの共役コイルを有する共役コイル・モジュールであって、前記共役コイルは、第１の入力端子、第２の入力端子、第１の出力端子、及び第２の出力端子を有し、前記共役コイルの前記第１の入力端子及び前記第２の入力端子はそれぞれ、前記変圧器それぞれのセンター・タップ端子に結合される共役コイル・モジュールと、
第１の端子及び第２の端子を有するサージ吸収素子であって、前記第１の端子は接地に接続され、前記第２の端子は前記第１の出力端子及び前記第２の出力端子に結合されるサージ吸収素子と
を備えるサージ防止回路。
【請求項２】
請求項１記載のサージ防止回路であって、前記サージ吸収素子は、セラミック・ガス管、トランジェント電圧抑制（ＴＶＳ）ダイオード、スパーク・ギャップ、又は金属酸化物バリスタ（ＭＯＶ）サージ吸収器を含むサージ防止回路。
【請求項３】
ローカル・エリア・ネットワーク・コネクタであって、
複数の変圧器であって、前記変圧器それぞれの二次側は、第１の端点、第２の端点、及びセンター・タップ端子を含む複数の変圧器と、
少なくとも１つの第１の共役コイルを有する共役コイル・モジュールであって、前記第１の共役コイルはそれぞれ、前記変圧器それぞれの前記センター・タップ端子に結合された第１の入力端子及び第２の入力端子を有し、前記第１の共役コイルは更に、第１の出力端子、及び第２の出力端子を有する共役コイル・モジュールと、
第１の端子及び第２の端子を有するサージ吸収素子であって、前記第１の端子は接地に接続され、前記第２の端子は前記第１の共役コイルの前記第１の出力端子及び前記第２の出力端子に結合されるサージ吸収素子と
を備えるローカル・エリア・ネットワーク・コネクタ。
【請求項４】
請求項３記載のローカル・エリア・ネットワーク・コネクタであって、複数の抵抗器を更に備え、前記抵抗器それぞれは第１の端子及び第２の端子を含み、前記第１の端子は前記接地に接続され、前記第２の端子はそれぞれ、前記変圧器それぞれのセンター・タップ端子に結合されるローカル・エリア・ネットワーク・コネクタ。
【請求項５】
請求項４記載のローカル・エリア・ネットワーク・コネクタであって、前記抵抗器の前記第１の端子は、少なくとも１つのコンデンサを介して前記接地に接続されるローカル・エリア・ネットワーク・コネクタ。
【請求項６】
請求項３記載のローカル・エリア・ネットワーク・コネクタであって、前記サージ吸収素子は、セラミック・ガス管、トランジェント電圧抑制（ＴＶＳ）ダイオード、スパーク・ギャップ、又は金属酸化物バリスタ（ＭＯＶ）サージ吸収器を含むローカル・エリア・ネットワーク・コネクタ。
【請求項７】
請求項３記載のローカル・エリア・ネットワーク・コネクタであって、前記変圧器の前記二次側の一部の前記第１の端点及び前記第２の端点は、前記ローカル・エリア・ネットワーク・コネクタのデータ転送端子群として使用されるローカル・エリア・ネットワーク・コネクタ。
【請求項８】
請求項３記載のローカル・エリア・ネットワーク・コネクタであって、前記変圧器の前記二次側の一部の前記第１の端点及び前記第２の端点は、前記ローカル・エリア・ネットワーク・コネクタのデータ受信端子群として使用されるローカル・エリア・ネットワーク・コネクタ。
【請求項９】
請求項３記載のローカル・エリア・ネットワーク・コネクタであって、複数の第２の共役コイルを更に備え、前記第２の共役コイルそれぞれは、前記変圧器のうちの前記二次側の前記第１の端点及び前記第２の端点に相応に結合される第１の入力端子及び第２の入力端子を有し、前記第２の共役コイルそれぞれは、ネットワークに結合された第１の出力端子及び第２の出力端子を更に有するローカル・エリア・ネットワーク・コネクタ。
【請求項１０】
請求項３記載のローカル・エリア・ネットワーク・コネクタであって、前記共役コイル・モジュールの前記第１の共役コイルの数は前記変圧器の数によって定められるローカル・エリア・ネットワーク・コネクタ。
【請求項１１】
請求項１０記載のローカル・エリア・ネットワーク・コネクタであって、前記変圧器の数は、前記共役コイル・モジュールの前記第１の共役コイルの数の２倍であるローカル・エリア・ネットワーク・コネクタ。
【請求項１２】
ネットワーク・モジュールであって、
データの転送又は受信を制御する処理装置と、
前記データを受信又は転送するために、ネットワーク及び前記処理装置に結合されることに適したネットワーク・コネクタであって、前記ネットワーク・コネクタは、
複数の変圧器であって、前記変圧器それぞれの二次側は、第１の端点、第２の端点、及びセンター・タップ端子を含む複数の変圧器と、
少なくとも１つの第１の共役コイルを有する共役コイル・モジュールであって、前記第１の共役コイルはそれぞれ、前記変圧器それぞれの前記センター・タップ端子に結合された第１の入力端子及び第２の入力端子を有し、前記第１の共役コイルは更に、第１の出力端子及び第２の出力端子を有する共役コイル・モジュールと、
接地に接続された第１の端子と、前記第１の共役コイルの前記第１の出力端子及び前記第２の出力端子に結合される第２の端子とを有するサージ吸収素子と
を含むネットワーク・コネクタと
を含むネットワーク・モジュール。
【請求項１３】
請求項１２記載のネットワーク・モジュールであって、複数の抵抗器を更に備え、前記抵抗器それぞれは第１の端子及び第２の端子を含み、前記第１の端子は前記接地に接続され、前記第２の端子はそれぞれ、前記変圧器それぞれの前記センター・タップ端子に結合されるネットワーク・モジュール。
【請求項１４】
請求項１３記載のネットワーク・モジュールであって、前記抵抗器の前記第１の端子は、少なくとも１つのコンデンサを介して前記接地に接続されるネットワーク・モジュール。
【請求項１５】
請求項１２記載のネットワーク・モジュールであって、前記サージ吸収素子は、セラミック・ガス管、トランジェント電圧抑制（ＴＶＳ）ダイオード、スパーク・ギャップ、又は金属酸化物バリスタ（ＭＯＶ）サージ吸収器を含むネットワーク・モジュール。
【請求項１６】
請求項１２記載のネットワーク・モジュールであって、前記変圧器の前記二次側の一部の前記第１の端点及び前記第２の端点は、前記ネットワーク・コネクタのデータ転送端子群として使用されるネットワーク・モジュール。
【請求項１７】
請求項１２記載のネットワーク・モジュールであって、前記変圧器の前記二次側の一部の前記第１の端点及び前記第２の端点は、前記ネットワーク・コネクタのデータ受信端子群として使用されるネットワーク・モジュール。
【請求項１８】
請求項１２記載のネットワーク・モジュールであって、複数の第２の共役コイルを更に備え、前記第２の共役コイルそれぞれは、前記変圧器のうちの１つの前記二次側の前記第１の端点及び前記第２の端点に相応に結合される第１の入力端子及び第２の入力端子を有し、前記第２の共役コイルそれぞれは、ネットワークに結合された第１の出力端子及び第２の出力端子を更に有するネットワーク・モジュール。
【請求項１９】
請求項１２記載のネットワーク・モジュールであって、前記共役コイル・モジュールの前記第１の共役コイルの数は前記変圧器の数によって定められるネットワーク・モジュール。
【請求項２０】
請求項１２記載のネットワーク・モジュールであって、前記変圧器の数は、前記共役コイル・モジュールの前記第１の共役コイルの数の２倍であるネットワーク・モジュール。
【発明の詳細な説明】
【技術分野】
【０００１】
本出願は、内容全体を本明細書及び特許請求の範囲に援用する、西暦２００８年１２月１０日付中華民国（台湾）において出願された特許出願番号第０９７１４８０８１号の優先権を米国特許法第１１９条（ａ）の下で主張する。
【０００２】
本発明は、サージ防止回路に関し、特に、サージ防止回路、上記サージ防止回路を使用したローカル・エリア・ネットワーク（ＬＡＮ）コネクタ及びネットワーク・モジュールに関する。
【背景技術】
【０００３】
サージの生成は、電力伝送回路又は接地ルートを介して、コンピュータや携帯電話機等などの製品に影響を及ぼし、サージの影響は、突入ルート又は突入エネルギによって変わり得る。サージが製品の内部に直接突入すると、製品への損傷が最大になる。大きなサージが落雷によって生じ、避雷針が、放電において、落雷のエネルギをアクティブに誘導するために使用される。落雷によって生じる電流により、接地抵抗器における電圧の急激な上昇をもたらし得、電流は、接地埋込の結合回路を介して製品に流され、製品の内部素子の損傷、又は製品の特定の機能の障害をもたらし得る。したがって、サージ防止装置は、回路内の必要な装置である。
【０００４】
従来のサージ防止装置によれば、変圧器が製品回路内に配置され、変成器は高電圧を削減するために使用される。もう１つの方法は、ツェナー・ダイオードや酸化金属バリスタ（ＭＯＶ）などのサージ吸収素子を使用する。例えば、ツェナー・ダイオードを利用する。通常の回路電圧の下では、サージ吸収素子は機能しない。サージが、電圧の急激な上昇をもたらすよう生じると、サージ吸収素子の外部電圧がその降伏電圧を超えて導電回路を形成するので、その時点で、電圧の急激な上昇によって生じる電流の一部分はサージ吸収素子によって吸収され得、その他の部分は、サージ吸収素子を介して接地端子に流され得る。よって、後置回路は、高電流による損傷が妨げられ得る。
【０００５】
図１は、従来技術におけるサージ防止回路を有するローカル・エリア・ネットワーク（ＬＡＮ）モジュールを示す回路図である。従来のローカル・エリア・ネットワーク・モジュール１００は、ローカル・エリア・ネットワーク・コネクタ１０２及びサージ防止回路１０４を有する。サージ防止回路１０４は、３つのサージ吸収素子１０４ａ、１０４ｂ、１０４ｃ、及び２つの抵抗器Ｒ１、Ｒ２を含む。ローカル・エリア・ネットワーク・コネクタ１０２の一方側は、送信端子ＴＸ、センター・タップ送信端子ＴＸＣＴ、受信端子ＲＸ、及びセンター・タップ受信端子ＲＸＣＴを有する。送信端子ＴＸ及び受信端子ＲＸはそれぞれ、ネットワーク（図示せず）に結合される。センター・タップ送信端子ＴＸＣＴは、サージ吸収素子１０４ｂの第２の端子２、抵抗器Ｒ２の第１の端子１、及びサージ吸収素子１０４ｃの第１の端子１に結合される。センター・タップ受信端子ＲＸＣＴは、サージ吸収素子１０４ａの第１の端子１、抵抗器Ｒ１の第１の端子１、及びサージ吸収素子１０４ｂの第１の端子１に結合される。更に、サージ吸収素子１０４ａ、１０４ｃ及び抵抗器Ｒ１、Ｒ２の第２の端子２は接地に結合される。抵抗器Ｒ１、Ｒ２は、コンデンサＣ１を介して接地に結合することが可能である。
【０００６】
図１では、サージが生成されると、電圧は、素子内の電流の急激な上昇をもたらすよう上昇する。センター・タップ受信端末ＲＸＣＴを通って流れる急激に上昇した電流がノードＡに流れると、電流の一部分は、サージ吸収素子１０４ｂに吸収され得るか、又はサージ吸収素子１０４ａを介して接地端子に流れ得る。同様に、センター・タップ受信端末ＴＸＣＴを通って流れる急激に上昇した電流がノードＢに流れると、電流の一部分は、サージ吸収素子１０４ｂに吸収され得るか、又はサージ吸収素子１０４ｃを介して接地端子に流れ得る。サージ吸収素子１０４ａ、１０４ｂ、１０４ｃにより、電圧の急激な上昇によって生成された電流は、接地に誘導し、それにより、高電流により、後置回路が損傷することを防止することができ得る。
【０００７】
しかし、サージ吸収素子は回路を保護するために使用されるが、そのコストは高く、サージ吸収素子の数は、変圧器の数と共に増加する。
【発明の概要】
【発明が解決しようとする課題】
【０００８】
本発明の一目的は、サージ防止回路を提供することである。本発明では、よって、単一のサージ吸収素子を使用して、サージが回路素子を損傷することを効果的に防止する。
【課題を解決するための手段】
【０００９】
本発明の実施例は、サージ防止回路を含むローカル・エリア・ネットワーク（ＬＡＮ）・コネクタを提供する。
【００１０】
本発明の実施例は、ローカル・エリア・ネットワーク・コネクタを含むネットワーク・モジュールを提供する。
【００１１】
本発明の実施例はローカル・エリア・ネットワーク・コネクタのサージ防止回路を提供し、サージ防止回路は、ローカル・エリア・ネットワーク・コネクタに配置された複数の変圧器に結合される。サージ防止回路は、共役コイル・モジュール及びサージ吸収素子を含む。共役コイル・モジュールは、少なくとも１つの共役コイルを有する。共役コイルは、第１の入力端子、第２の入力端子、第１の出力端子、及び第２の出力端子を有する。共役コイルの第１の入力端子及び第２の入力端子はそれぞれ、それぞれの変換器のセンター・タップ端子に結合される。サージ吸収素子は第１の端子及び第２の端子を有する。サージ吸収素子の第１の端子は接地に接続され、第２の端子は、第１の出力端子及び第２の出力端子に結合される。
【００１２】
本発明の一実施例では、サージ吸収素子は、セラミック・ガス管、トランジェント電圧抑制（ＴＶＳ）ダイオード、スパーク・ギャップ、又は金属酸化物バリスタ（ＭＯＶ）サージ吸収器を含み得る。
【００１３】
本発明の実施例は、複数の変圧器、共役コイル・モジュール、及びサージ吸収素子を含むローカル・エリア・ネットワーク・コネクタを提供する。変圧器それぞれの二次側は、第１の端点、第２の端点、及びセンター・タップ端子を含む。共役コイル・モジュールは少なくとも１つの第１の共役コイルを有し、第１の共役コイルは、それぞれの変圧器のセンター・タップ端子にそれぞれが結合された第１の入力端子及び第２の入力端子を有する。第１の共役コイルは、第１の出力端子及び第２の出力端子を更に有する。サージ吸収素子は第１の端子及び第２の端子を有する。サージ吸収素子の第１の端子は接地に接続され、第２の端子は、第１の共役コイルの第１の出力端子及び第２の出力端子に結合される。
【００１４】
本発明の一実施例では、ローカル・エリア・ネットワーク・コネクタは、複数の抵抗器を更に含み得る。抵抗器の第１の端子は接地に接続され得、抵抗器の第２の端子はそれぞれ相応に、それぞれの変圧器のセンター・タップ端子に結合され得る。抵抗器の第１の端子は、コンデンサを介して接地に接続され得る。
【００１５】
本発明の一実施例では、サージ吸収素子は、セラミック・ガス管、トランジェント電圧抑制ダイオード、スパーク・ギャップ、又は金属酸化物バリスタサージ吸収器を含み得る。
【００１６】
本発明の一実施例では、変圧器の二次側の一部の第１の端点及び第２の端点は、ローカル・エリア・ネットワーク・コネクタのデータ転送端子群として使用することができる。
【００１７】
本発明の一実施例では、変圧器の二次側の一部の第１の端点及び第２の端点は、ローカル・エリア・ネットワーク・コネクタのデータ受信端子群として使用することができる。
【００１８】
別の実施例では、本発明の実施例は、処理装置、ネットワーク・コネクタ、及びサージ吸収素子を含むネットワーク・モジュールを提供する。処理装置は、データの転送又は受信を制御するために使用される。ネットワーク・コネクタは、データの受信又は転送のためにネットワーク及び処理装置に結合される。ネットワーク・コネクタは、複数の変圧器、共役コイル・モジュール、及びサージ吸収素子を含む。変圧器それぞれの二次側は、第１の端点、第２の端点、及びセンター・タップ端子を含む。共役コイル・モジュールは少なくとも１つの第１の共役コイルを有し、第１の共役コイルは、それぞれの変圧器のセンター・タップ端子にそれぞれが結合された第１の入力端子及び第２の入力端子を有する。第１の共役コイルは、第１の出力端子及び第２の出力端子を更に有する。サージ吸収素子は第１の端子及び第２の端子を有する。サージ吸収素子の第１の端子は接地に接続され、第２の端子は、第１の共役コイルの第１の出力端子及び第２の出力端子に結合される。
【００１９】
本発明の一実施例では、ローカル・エリア・ネットワーク・コネクタは、複数の抵抗器を更に含み得る。抵抗器の第１の端子は接地に接続され得、抵抗器の第２の端子はそれぞれ相応に、それぞれの変圧器のセンター・タップ端子に結合され得る。抵抗器の第１の端子は、コンデンサを介して接地に接続され得る。
【００２０】
本発明の一実施例では、サージ吸収素子は、セラミック・ガス管、トランジェント電圧抑制ダイオード、スパーク・ギャップ、又は金属酸化物バリスタサージ吸収器を含み得る。
【００２１】
本発明の一実施例では、変圧器の二次側の一部の第１の端点及び第２の端点は、ローカル・エリア・ネットワーク・コネクタのデータ転送端子群として使用することができる。
【００２２】
本発明の一実施例では、変圧器の二次側の一部の第１の端点及び第２の端点は、ローカル・エリア・ネットワーク・コネクタのデータ受信端子群として使用することができる。
【００２３】
本発明の一実施例では、ネットワーク・モジュールは複数の第２の共役コイルを更に含み得る。第２の共役コイルそれぞれは、変圧器のうちの１つの二次側の第１の端点及び第２の端点に相応に結合された第１の入力端子及び第２の入力端子を有し得る。第２の共役コイルそれぞれは、ネットワークに結合された第１の出力端子及び第２の出力端子を有し得る。
【００２４】
本発明の一実施例では、共役コイル・モジュールの第１の共役コイルの数は変圧器の数によって求めることができる。
【００２５】
本発明の一実施例では、変圧器の数は、共役コイル・モジュールの第１の共役コイルの数の２倍になり得る。
【００２６】
本発明におけるサージ防止回路によれば、変圧器のセンター・タップ端子それぞれは、共役コイル・モジュールの第１の共役コイルに相応に結合され、第１の共役コイルの出力端子は、互いに電気的に結合され、接地のためにサージ吸収素子に結合される。よって、高電流が何れかのセンター・タップ端子において生じると、電流の一部は、単一のサージ吸収素子を介して接地端子に誘導し、それにより、回路を保護することが可能である。更に、本発明におけるサージ防止回路は、回路を保護するための単一のサージ吸収素子を有するに過ぎないので、回路素子のコストが削減される。更に、同様な手法をローカル・エリア・ネットワーク及びネットワーク・モジュールに施すことが可能である。
【図面の簡単な説明】
【００２７】
【図１】従来技術におけるサージ防止回路を有するローカル・エリア・ネットワーク（ＬＡＮ）モジュールを示す回路図である。
【図２】本発明の一実施例によるコンピュータ・システムを示すブロック図である。
【図３】本発明の一実施例によるネットワーク・モジュ―ルを示す回路図である。
【図４】本発明の別の実施例によるネットワーク・モジュ―ルを示す部分回路図である。
【発明を実施するための形態】
【００２８】
本発明の前述並びに他の構成、局面及び利点は、以下の明細書、特許請求の範囲及び添付図面に関して更に深く分かるであろう。
【実施例】
【００２９】
本発明の実施例は、添付図面に応じて以下に詳細に説明する。更に、以下の実施例、及び添付図面では、説明を単純にするために、同一の、又は同様な参照符号を使用して同一の、又は同様な構成要素にマーキングしている。
【００３０】
図２は、本発明の一実施例によるコンピュータ・システムを示すブロック図である。図２を参照されたい。コンピュータ・システムは、中央処理装置（ＣＰＵ）２１０、チップ・セット２２０、オペレーティング・システム（ＯＳ）２３０、ネットワーク・モジュール２４０、及びネットワーク２５０を含む。ネットワーク・モジュール２４０は更に、処理装置２４２及びネットワーク・コネクタ２４４を含む。
【００３１】
中央処理装置２１０は一般に、算術論理演算装置、制御装置、及び記憶装置を含む。チップ・セット２２０は、コンピュータ・システム全体の制御センターであり、中央処理装置２１０及び他の周辺装置（オペレーティング・システム２３０や処理装置２４２など）の実行を接続するために使用される。オペレーティング・システム２３０は、コンピュータのハードウェア及びソフトウェアの資源を管理するためのプログラムであり、メモリの管理及び廃棄、システム資源供給の優先度の決定、入出力装置の制御、ネットワークの運用、ファイル・システムの管理等に使用することが可能である。更に、オペレーティング・システム２３０は、システムと相互作用するために、ユーザに対する動作インタフェースも提供することが可能である。
【００３２】
ネットワーク・モジュール２４０の処理装置２４２は、データの転送又は受信の制御に使用され、ネットワーク・コネクタ２４４に結合される。よって、ネットワーク・コネクタ２４４は、処理装置２４２から受信されたデータをネットワーク２５０に転送することが可能である。
【００３３】
ネットワーク・モジュールは、添付図面とともに、本発明の実施例により、以下に詳細に説明する。
【００３４】
図３は、本発明の一実施例によるネットワーク・モジュ―ルを示す回路図である。図３では、ネットワーク・モジュール３００は、処理装置３１０及びネットワーク・コネクタ３２０を含む。ネットワーク・コネクタ３２０は、複数の変圧器３２１、複数の第２の共役コイル３２３（図３には４つの変圧器、及び４つの第２の共役コイルのみを示す）、及びサージ防止回路３２５を有する。ネットワーク・コネクタ３２０は、ローカル・エリア・ネットワーク（ＬＡＮ）コネクタであり得る。更に、この実施例では、ネットワーク・モジュール３００は、複数の抵抗器Ｒ（４つの抵抗器のみを図３に示す）を更に含み得る。抵抗器Ｒそれぞれは第１の端子１及び第２の端子２を有する。抵抗器Ｒの第１の端子１は接地に接続され、第２の端子２は変圧器３２１及びサージ防止回路３２５に結合される。抵抗器Ｒの第１の端子１は、コンデンサＣ１を介して接地に接続される。
【００３５】
変圧器３２１それぞれの二次側は、第１の端点ａ、第２の端点ｂ、及びセンター・タップ端子ｃを含む。センター・タップ端子ｃそれぞれは相応に、それぞれの抵抗器Ｒの第２の端子２に結合され、二次側の部分の第１の端点ａ及び第２の端点ｂは、ローカル・エリア・ネットワーク・コネクタのデータ転送端子群又はデータ受信端子群として使用することが可能である。第２の共役コイル３２３はそれぞれ、第１の入力端子ａ１、第２の入力端子ａ２、第１の出力端子ｂ１、及び第２の出力端子ｂ２を有する。第２の共役コイル３２３それぞれの第１の入力端子ａ１及び第２の入力端子ａ２は、相応に、それぞれの変圧器３２１の二次側の第１の端点ａ及び第２の端点ｂに結合され、第１の出力端子ｂ１及び第２の出力端子ｂ２はそれぞれ、（図２中のネットワーク２５０などの）ネットワークに結合される。
【００３６】
サージ防止回路３２５は、共役コイル・モジュール３２６及びサージ吸収素子３２９を含む。サージ吸収素子３２９は第１の端子１及び第２の端子２を有し、第１の端子１は接地に接続される。更に、サージ吸収素子３２９は、セラミック・ガス管、トランジェント電圧抑制（ＴＶＳ）ダイオード、スパーク・ギャップ、又は金属酸化物バリスタ（ＭＯＶ）サージ吸収器であり得る。共役コイル・モジュール３２６は少なくとも、第１の共役コイル３２８を有し（２つの第１の共役コイルのみを図３に示す）、第１の共役コイル３２８は、第１の入力端子ａ１、第２の入力端子ａ２、第１の入力端子ｂ１、及び第２の出力端子ｂ２を有する。第１の入力端子ａ１及び第２の入力端子ａ２は、相応に、それぞれの変圧器３２１の二次側のセンター・タップ端子ｃに結合され、同時に、相応に、それぞれの抵抗器Ｒの第２の端子２に結合される。第１の出力端子ｂ１及び第２の出力端子ｂ２は全て、互いに電気的に接続され、サージ供給素子３２９の第２の端子２に結合される。
【００３７】
更に、第１の共役コイル３２８の数は変圧器３２１の数によって定められる。例えば、変換器３２１の数が２まで減少した場合、１つの第１の共役コイル３２８のみが必要である。変圧器３２１の数が６に増加した場合、第１の共役コイル３２８の数は３に増加する。すなわち、２つの変圧器３２１のセンター・タップ端子をそれぞれ、相応に、第１の共役コイル３２８の第１の入力端子ａ１及び第２の入力端子ａ２それぞれに結合することが可能である。
【００３８】
ネットワーク・モジュール３００の回路設計は上記によって説明される。動作の詳細は、実施例により、更に後述する。
【００３９】
図３によれば、サージが、電圧の急激な上昇を生じるよう発生すると（例えば、落雷が生じると）、素子内の電流が急激に上昇する。センター・タップ端子ｃにおける変圧器３２１の何れか１つによって生じた高電流が、回路接続モードに応じてノードＡ、Ｂ、Ｃ又はＤを通って流れると、電流の一部を抵抗器Ｒを介して接地に流し得、電流の一部は、第１の共役コイル３２８に分流し、サージ吸収素子３２９によって接地端子に誘導し得る。よって、サージ吸収素子３２９を含むサージ阻止回路３２５は、急激に上昇したエネルギをバッファリングし、又は消費し、その他のエネルギを接地端子に誘導し、それにより、元の回路がもたらす影響が大きく減少し得る。
【００４０】
ネットワーク・モジュール３００は、複数のネットワーク・コネクタ３２０を更に含み得る。図４は、本発明の別の実施例により、ネットワーク・モジュールを示す部分回路図である。図３及び図４を併せて参照されたい。この実施例では、ネットワーク・モジュール４００は４つのネットワーク・コネクタ４１０、４つのＲＪ４５コネクタ４２０、及びサージ吸収素子３２９を含む。ネットワーク・コネクタ４１０それぞれは、４つの変圧器３２１、４つの第２の共役コイル３２３、及び共役コイル・モジュール３２６を含む。共役コイル・モジュール３２６は２つの第１の共役コイル（図示せず）を有し、共役コイル・モジュール３２６の内部回路接続は図３におけるものと同じである。更に、ネットワーク・コネクタ４１０の共役コイル・モジュール３２６はケーブル４３０を介して互いに電気的に接続され、サージ吸収素子３２９に結合される。よって、ネットワーク・コネクタ４１０のうちの何れか１つの電流が急激に上昇した場合、電流の一部は、共役コイル・モジュール３２６からサージ吸収素子３２９にケーブル４３０を介して流れ、よって、接地端子に誘導され得る。したがって、ネットワーク・コネクタ３２１の数が増加すると、本発明のこの実施例におけるネットワーク・モジュール４００はなお、回路全体を保護するために１つのサージ吸収素子３２９のみを使用することが可能である。
【００４１】
要約するに、本発明の実施例によれば、従来のサージ防止回路が再設計される。変換器それぞれは、相応に、共役コイル・モジュールの第１の共役コイルに結合され、第１の共役コイルの出力端子は、互いに電気的に接続され、サージ吸収素子を介して接地に結合される。よって、変圧器の何れか１つの電流が急激に上昇した場合、電流の一部は、サージ吸収素子を介して接地端子に誘導し、それにより、回路を保護することが可能である。更に、本発明の実施例におけるサージ防止回路は、回路を保護するための単一のサージ吸収素子を使用するので、回路素子のコストが削減される。更に、サージ防止回路は、他の回路モジュールと更に協働させることが可能であり、適用に特定の汎用性を有する。
【００４２】
本発明は、その特定の好ましい実施例を参照してかなり詳細に説明してきたが、本明細書及び特許請求の範囲は本発明の範囲を限定するものでない。当業者は、本発明の範囲及び趣旨から逸脱しない限り、種々の修正及び変更を行うことができる。したがって、特許請求の範囲記載の請求項の範囲は、上記好ましい実施例の説明に限定されるものでない。
【符号の説明】
【００４３】
３２０  ネットワーク・コネクタ
３２１  変圧器
３２３  共役コイル
３２５  サージ防止回路
３２６  共役コイル・モジュール
３２８  共役コイル
３２９  サージ吸収素子
【図１】
2010142107.tif 000003
【図２】
2010142107.tif 000004
【図３】
2010142107.tif 000005
【図４】
2010142107.tif 000006